(57)【要約】【課題】給電部分の構造の簡素化が図れ、ひいてはコストの低減が可能な誘電体バリア放電型低圧放電ランプを提供する。【解決手段】この誘電体バリア放電型低圧放電ランプ１１は、管状ガラスランプ容器１０の外面の電流導体層３１，３６を外部電極２１，２６とし、この外部電極に、給電用の金属部材１０１，１０６を半田によって取付けたものであり、給電部分を簡単な構成にした。【選択図】      図１
2004281133.tif 000002
【特許請求の範囲】
【請求項１】
外面の少なくとも１カ所に電流導体層が電極として設けられた管状ガラスランプ容器を備えた誘電体バリア放電型低圧放電ランプにおいて、前記電流導体層に、給電用の金属部材を半田によって取付けて成る誘電体バリア放電型低圧放電ランプ。
【請求項２】
前記金属部材は、金属の線状部材であることを特徴とする請求項１記載の誘電体バリア放電型低圧放電ランプ。
【請求項３】
前記金属部材は金属線であり、前記電流導体層にコイル状に巻き付けて半田付けしたことを特徴とする請求項１記載の誘電体バリア放電型低圧放電ランプ。
【請求項４】
外面の少なくとも１カ所に電流導体層が電極として設けられた管状ガラスランプ容器と、
前記電流導体層に芯線が半田付けされたリード線とを備えた誘電体バリア放電型低圧放電ランプ。
【発明の詳細な説明】
【０００１】
【発明の属する技術分野】
本発明は、誘電体バリア放電型低圧放電ランプに関する。
【０００２】
【従来の技術】
従来、管状ガラスランプ容器の外表面に電極を備える誘電体バリア放電型低圧放電ランプとして、実開昭６１−１２６５５９号公報に記載されたものが知られている。この従来の誘電体バリア放電型低圧放電ランプ１６は、図６に示す構成である。
【０００３】
図６に示す低圧放電ランプ１６において、１０は両端が封止された管状ガラスランプ容器であり、この管状ガラスランプ容器１０の内部に希ガス若しくは希ガスと水銀との混合ガス等のイオン化可能な充填剤７０が封入してある。管状ガラスランプ容器１０の内周面には、必要に応じて蛍光体層６０が形成してある。管状ガラスランプ容器１０の両端部外面には、外部電極２１，２６が配設してある。
【０００４】
外部電極２１，２６は、電流導体層である半田層３１，３６と、この半田層３１，３６に給電金具として接続されているヒューズホルダー型給電部材８１，８６から構成されている。このヒューズホルダー型給電部材８１，８６は、自身のバネ弾性によって半田層３１，３６に密着している。
【０００５】
点灯装置からこの従来の誘電体バリア放電型低圧放電ランプ１６に対して給電する場合には、リード線４１，４６をヒューズホルダー型給電部材８１，８６それぞれに半田付け９２，９７によって接続する。
【０００６】
このような従来の誘電体バリア放電型低圧放電ランプ１６では、電流−電圧特性に正特性を持つため、１つの点灯装置によって複数本の低圧放電ランプを並列、同時点灯させることができ、点灯装置の設計が容易である特徴がある。
【０００７】
【特許文献１】
実開昭６１−１２６５５９号公報
【０００８】
【発明が解決しようとする課題】
ところが、従来の誘電体バリア放電型低圧放電ランプでは、点灯装置によって放電ランプに給電するためには前述のヒューズホルダー型給電部材を介する必要があり、この給電部分の構造にコストがかかる問題点があった。
【０００９】
本発明は、このような従来の技術的課題に鑑みてなされたもので、給電部分の構造の簡素化が図れ、ひいてはコストの低減が可能な誘電体バリア放電型低圧放電ランプを提供することを目的とする。
【００１０】
【課題を解決するための手段】
請求項１の発明は、外面の少なくとも１カ所に電流導体層が電極として設けられた管状ガラスランプ容器を備えた誘電体バリア放電型低圧放電ランプにおいて、前記電流導体層に、給電用の金属部材を半田によって取付けたものである。
【００１１】
請求項１の発明の誘電体バリア放電型低圧放電ランプでは、電流導体層で構成される外部電極に対して半田によって給電用の金属部材を取付けたことにより、この金属部材に対して給電用のリード線を半田付けして給電部分を構成することができ、低圧放電ランプの製造においては外部電極部分に金属部材を半田付けするだけの簡単な構造にすることができる。
【００１２】
請求項２の発明は、請求項１の誘電体バリア放電型低圧放電ランプにおいて、前記金属部材は、金属の線状部材であることを特徴とするものであり、この線状の金属材に対してリード線を半田接続するだけで給電部分を構成でき、低圧放電ランプの製造においては外部電極部分に線状部材を半田付けするだけの簡単な構造にすることができる。
【００１３】
請求項３の発明は、請求項１の誘電体バリア放電型低圧放電ランプにおいて、前記金属部材は金属線であり、前記電流導体層にコイル状に巻き付けて半田付けしたことを特徴とするものであり、外部電極側に半田付けされたコイル状の金属線に給電用のリード線を半田付けして給電部分を構成することができ、低圧放電ランプの製造においては外部電極部分に金属線をコイル状に巻付けて半田付けするだけの簡単な構造にすることができ、また電流が一カ所に集中しないので長期に安定した給電性能が期待できる。
【００１４】
請求項４の発明の誘電体バリア放電型低圧放電ランプは、外面の少なくとも１カ所に電流導体層が電極として設けられた管状ガラスランプ容器と、前記電流導体層に芯線が半田付けされたリード線とを備えたものである。
【００１５】
請求項４の発明の誘電体バリア放電型低圧放電ランプでは、管状ガラスランプ容器の外部の電流導体層に給電用のリード線の芯線を半田付けしたことにより、このリード線を点灯装置に接続することでランプ点灯でき、外部電極に対する給電部分の構造がリード線の芯線の半田付けという簡単な構造であり、製造における給電部分のコストの低減が可能である。
【００１６】
【発明の実施の形態】
以下、本発明の実施の形態を図に基づいて詳説する。図１は、本発明の第１の実施の形態の誘電体バリア放電型低圧放電ランプ１１の構成を示している。図１に示す誘電体バリア放電型低圧放電ランプ１１において、１０は両端が封止された管状ガラスランプ容器であり、この管状ガラスランプ容器１０の内部に希ガス若しくは希ガスと水銀との混合ガス等のイオン化可能な充填剤７０が封入してある。管状ガラスランプ容器１０の内周面には、必要に応じて蛍光体層６０が形成してある。
【００１７】
管状ガラスランプ容器１０の両端部外面には、外部電極２１，２６が形成してある。この外部電極２１，２６は、溶融半田槽に管状ガラスランプ容器１０の各端部をディッピングし、超音波振動を加えながら半田付けすることによって形成したものである。
【００１８】
この外部電極２１，２６の半田層の上には、接続端部１０１Ａ，１０６Ａを持つ金属片１０１，１０６を覆い被せた状態で超音波半田付け５１，５６によってこれらの金属片１０１，１０６を取付けてある。
【００１９】
上記構成の第１の実施の形態の誘電体バリア放電型低圧放電ランプ１１では、図１に示したように、リード線４１，４６を金属片１０１，１０６の接続端部１０１Ａ，１０６Ａそれぞれに絡ませ、半田付け９１，９６によって接続することによって給電部分を構成し、このリード線４１，４６を通じて点灯装置から給電し、低圧放電ランプ１１を点灯させる。
【００２０】
この第１の実施の形態の誘電体バリア放電型低圧放電ランプ１１では、外部分極２１，２６に対して金属片１０１，１０６を半田付けしただけの構成であり、この金属片１０１，１０６に対してリード線４１，４６を接続することで点灯装置からの給電が可能であるので、給電部分の構成が簡単であり、従来のヒューズホルダー型給電部材を用いる場合に比べて製造コストの低減と小形化が図れる。
【００２１】
次に、本発明の第２の実施の形態の誘電体バリア放電型低圧放電ランプ１２について、図２を用いて説明する。第２の実施の形態の誘電体バリア放電型低圧放電ランプ１２は、第１の実施の形態と同様の管状ガラスランプ容器１０の両端外周の外部電極２１，２６に対して、金属線をコイル状に巻き付け、このコイル状金属線１１１，１１６を超音波半田付け５２，５７によって外部電極２１，２６に固定したことを特徴とする。
【００２２】
第２の実施の形態の誘電体バリア放電型低圧放電ランプ１２では、図２に示したように、コイル状金属線１１１，１１６それぞれの接続端部１１１Ａ，１１６Ａに対してリード線４１，４６を絡ませて半田付け９１，９６によって接続することによって給電部分を構成し、このリード線４１，４６を通じて点灯装置から給電し、低圧放電ランプ１２を点灯させる。
【００２３】
この第２の実施の形態の誘電体バリア放電型低圧放電ランプ１２では、コイル状金属線１１１，１１６を低圧放電ランプ１２の外部電極２１，２６に巻付けて半田で固定した構成であり、このコイル状金属線１１１，１１６に対してリード線４１，４６を接続することで点灯装置からの給電が可能であるので、給電部分の構成が簡単であり、従来のヒューズホルダー型給電部材を用いる場合に比べて製造コストの低減と小形化が図れる。
【００２４】
次に、本発明の第３の実施の形態の誘電体バリア放電型低圧放電ランプ１３について、図３を用いて説明する。第３の実施の形態の特徴は、リード線４１，４６の芯線４１Ａ，４６Ａを外部電極２１，２６に超音波半田付け５１，５６によって直接接続したことを特徴とする。管状ガラスランプ容器１０の構造は第１の実施の形態と同様である。
【００２５】
この第３の実施の形態の誘電体バリア放電型低圧放電ランプ１３では、管状ガラスランプ容器１０の外部電極２１，２６に別部品を半田付けによって取付ける工程が必要ではなく、リード線４１，４６の芯線４１Ａ，４６Ａの超音波半田付けだけで完了するために、構成が簡単であり、コストをいっそう低下させ、また小形化できる。
【００２６】
次に、本発明の第４の実施の形態の誘電体バリア放電型低圧放電ランプ１４について、図４を用いて説明する。この実施の形態の誘電体バリア放電型低圧放電ランプ１４は、管状ガラスランプ容器１０の両端の外部電極２１，２６それぞれの端頂部にリード線４１，４６の芯線４１Ａ，４６Ａを超音波半田付け５３，５８によって直接に接続した点にある。その他の構成は、図３に示した第３の実施の形態と同様である。
【００２７】
この第４の実施の形態の誘電体バリア放電型低圧放電ランプ１４にあっても、第３の実施の形態と同様に構成が簡単であり、コストをいっそう低下させ、また小形化できる。
【００２８】
次に、本発明の第５の実施の形態の誘電体バリア放電型低圧放電ランプ１５について、図５を用いて説明する。第５の実施の形態の特徴は、リード線４１，４６の芯線を長く剥きだし、その芯線４１Ｂ，４６Ｂを管状ガラスランプ容器１０の両端の外部電極２１，２６それぞれの外周に巻付け、超音波半田付け５２，５７によって外部電極２１，２６に直接に接続した点にある。その他の構成は、図３に示した第３の実施の形態と同様である。
【００２９】
この第５の実施の形態の誘電体バリア放電型低圧放電ランプ１５では、第３の実施の形態と同様に構成が簡単であり、コストの低下が図れる上に、外部電極２１，２６に対してリード線４１，４６の芯線４１Ｂ，４６Ｂがコイル状に巻付けられ、半田付けされているのでそれらの接続部分が強固であり、また電流が一カ所に集中しないので長期にわたり安定した性能が維持できる利点がある。
【００３０】
なお、上記の各実施の形態では管状ガラスランプ容器１０の両端外部に設けた外部電極２１，２６それぞれに対する給電部分を構成したが、外部電極が１カ所だけ設けられた誘電体バリア放電型低圧放電ランプについてもその外部電極に対して同様に給電部分を構成することができる。
【００３１】
【発明の効果】
以上のように本発明によれば、管状ガラスランプ容器の外表面に形成された外部電極に対して金属部材に半田付けし、その金属部材に対してリード線を接続する構成にしたので、給電部分に従来のようなヒューズホルダー型給電部材を必要とせず、構成が簡単であり、ひいては誘電体バリア放電型低圧放電ランプの製造コストを低下させることができ、また小形化できる。
【００３２】
本発明はまた、管状ガラスランプ容器の外表面に形成された外部電極に対してリード線の芯線を直接に半田付けしたので、構成がいっそう簡単であり、ひいては製造コストをいっそうの低下が図れる。
【図面の簡単な説明】
【図１】本発明の第１の実施の形態の断面図。
【図２】本発明の第２の実施の形態の断面図。
【図３】本発明の第３の実施の形態の断面図。
【図４】本発明の第４の実施の形態の断面図。
【図５】本発明の第５の実施の形態の断面図。
【図６】従来例の断面図。
【符号の説明】
１０  管状ガラスランプ容器
１１〜１５  誘電体バリア放電型低圧放電ランプ
２１，２６  外部電極
３１，３６  半田層
４１，４６  リード線
４１Ａ，４６Ａ  芯線
４１Ｂ，４６Ｂ  芯線
５１，５２，５２  超音波半田付け
５６，５７，５８  超音波半田付け
９１，９６  半田付け
１０１，１０６  金属片
１０１Ａ，１０６Ａ  接続端部
１１１，１１６  コイル状金属線
１１１Ａ，１１６Ａ  接続端部
【図１】
2004281133.tif 000003
【図２】
2004281133.tif 000004
【図３】
2004281133.tif 000005
【図４】
2004281133.tif 000006
【図５】
2004281133.tif 000007
【図６】
2004281133.tif 000008